(57)【要約】【課題】利用者の近傍での使用に適した空気清浄機を提供する。【解決手段】機械ユニット３は、その筐体５の周面５ａに吸気口６が、天板５ｂに排気口７が設けられ、内部にファン８を設けてある。筐体５を挟むように一対のフィルタユニット４が配されている。フィルタユニット４は、スポンジフィルタ１０と、このスポンジフィルタ１０の表面を覆う複数枚のカバーシート１８からなるシート積層部１５と、カバー部材１６とからなり、全体として柔らかくまた弾性を有する。【選択図】図２
2010227792.tif 000002
【特許請求の範囲】
【請求項１】
剛性を有する筐体と、この筐体に設けられた吸気口及び排気口と、筐体内部で吸気口と排気口とをつなぐ流路と、吸気口から吸い込んだ空気を流路を通して排気口に送り出すファンとを有する機械ユニットと、
前記吸気口または排気口のいずれか一方が設けられた筐体面を覆うように設けられたスポンジフィルタを含み、弾性変形自在とされるとともに外側に露呈されたフィルタユニットとを備えることを特徴とする空気清浄機。
【請求項２】
前記筐体は、薄い筒状であり、前記吸気口と排気口のうちの一方が前記筐体の周面に他方が上面及び下面に設けられ、
前記フィルタユニットは、前記筐体の上面及び下面にそれぞれ設けられていることを特徴とする請求項１記載の空気清浄機。
【請求項３】
前記フィルタユニットは、前記スポンジフィルタを覆うとともに複数の開口が形成された弾性変形自在なカバー部材を有することを特徴とする請求項２記載の空気清浄機。
【請求項４】
前記カバー部材は、前記筐体に対して着脱自在とされていることを特徴とする請求項３記載の空気清浄機。
【請求項５】
前記フィルタユニットは、前記スポンジフィルタと前記カバー部材との間に配され、前記スポンジフィルタの表面を覆い、かつ空気を透過するカバーシートを有することを特徴とする請求項４記載の空気清浄機。
【請求項６】
前記カバーシートは、前記スポンジフィルタと前記カバー部材との間に複数枚が積層し、
前記カバー部材は、前記シートユニットの最上層のシート部材を外部に引き抜くための開口を有することを特徴とする請求項５記載の空気清浄機。
【請求項７】
前記筐体は、筒状であり、前記吸気口と排気口のうちの一方が前記筐体の周面に他方が端面に設けられ、
前記フィルタユニットは、前記筐体の周面を前記スポンジフィルタが覆うように、中空な内部に前記筐体が配される筒形状であることを特徴とする請求項１記載の空気清浄機。
【請求項８】
所定の連結方向に間隔をあけて設けられた一対の前記フィルタユニットと、
各フィルタユニットの連結方向を回転中心として一対の前記フィルタユニットを回動自在に保持する保持機構を備えることを特徴とする請求項１記載の空気清浄機。
【請求項９】
前記フィルタユニットは、連結方向を回転軸とする回転体形状であることを特徴とする請求項８記載の空気清浄機。
【発明の詳細な説明】
【技術分野】
【０００１】
本発明は、空気清浄機に関するものである。
【背景技術】
【０００２】
空気中に浮遊するホコリや、花粉、ハウスダストなどを除去する空気清浄機が知られている。空気清浄機では、筐体内に設けたファンによって空気を吸い込み、この空気を集塵フィルタや脱臭フィルタなどの各種ファイルタを通すことで、ホコリや花粉などを除去してから排気するものが一般的である。また、ファイルタに代えて、放電によってホコリなどを帯電させて集塵するものなどもある。
【発明の概要】
【発明が解決しようとする課題】
【０００３】
ところで、上記のような空気清浄機は、一般的に室内全体を対象にしており、部屋の隅などに置いて使用することが想定されており大型な装置であるとともに、その内部の機構やフィルタを保護するために、筐体が剛性のある（硬い）ものとなっている。このため、例えば利用者の近傍のみ空間のみを対象として利用しようとして、利用者の傍らにおいて使用しようとすると空気清浄機はかなり邪魔な存在となるほか、筐体に身体をぶつけるなどしてケガをしたり、空気清浄機を倒して破損させるおそれがあるなどの問題があった。
【０００４】
本発明は上記事情を考慮してなされたもので、利用者の近傍での使用に適した空気清浄機を提供することを目的とする。
【課題を解決するための手段】
【０００５】
上記目的を達成するために、本発明の請求項１記載の空気清浄機では、剛性を有する筐体と、この筐体に設けられた吸気口及び排気口と、筐体内部で吸気口と排気口とをつなぐ流路と、吸気口から吸い込んだ空気を流路を通して排気口に送り出すファンとを有する機械ユニットと、吸気口または排気口のいずれか一方が設けられた筐体面を覆うように設けられたスポンジフィルタを含み、弾性変形自在とされるとともに外側に露呈されたフィルタユニットとを備えるものである。
【０００６】
請求項２記載の空気清浄機では、筐体を、薄い筒状とし、吸気口と排気口のうちの一方を筐体の周面に他方を上面及び下面に設け、フィルタユニットを、筐体の上面及び下面にそれぞれ設けたものである。
【０００７】
請求項３記載の空気清浄機では、フィルタユニットが、スポンジフィルタを覆うとともに複数の開口が形成された弾性変形自在なカバー部材を備える設ものである。
【０００８】
請求項４記載の空気清浄機では、カバー部材を、筐体に対して着脱自在としたものである。
【０００９】
請求項５記載の空気清浄機では、フィルタユニットが、スポンジフィルタとカバー部材との間に配され、スポンジフィルタの表面を覆い、かつ空気を透過するカバーシートを備えるものである。
【００１０】
請求項６記載の空気清浄機では、カバーシートを、スポンジフィルタとカバー部材との間に複数枚が積層し、カバー部材に、シートユニットの最上層のシート部材を外部に引き抜くための開口を設けたものである。
【００１１】
請求項７記載の空気清浄機では、筐体を、筒状とし、吸気口と排気口のうちの一方を筐体の周面に他方を端面に設け、フィルタユニットを、筐体の周面をスポンジフィルタが覆うように、中空な内部に筐体が配される筒形状としたものである。
【００１２】
請求項８記載の空気清浄機では、所定の連結方向に間隔をあけて設けられた一対のフィルタユニットと、各フィルタユニットの連結方向を回転中心として一対のフィルタユニットを回動自在に保持する保持機構を備えるものである。
【００１３】
請求項９記載の空気清浄機では、フィルタユニットを、連結方向を回転軸とする回転体形状としたものである。
【発明の効果】
【００１４】
本発明によれば、筐体の内部に空気の流路とファンとを有する機械ユニットの筐体に形成した吸気口及び排気口のいずれか一方が設けられた筐体面を覆うように、弾性変形自在とされたフィルタユニットを配して外部に露呈するようにしたから、空気清浄機の外側が柔軟なフィルタユニットとなり、空気清浄機を気軽に扱うことができるようになり、利用者の傍らにおいて使用するなど利用形態を広げることができる。また、空気清浄機にぶつかるなどしても、ケガをすることがなく、また空気清浄機を倒して破損することがなくなる。
【図面の簡単な説明】
【００１５】
【図１】本発明を実施した空気清浄機の外観を示す斜視図である。
【図２】空気清浄機の断面を示す断面図である。
【図３】筐体の周面に設けた掃除用開口を示す斜視図である。
【図４】円筒状の筐体の周面にスポンジフィルタを配した空気清浄機の外観を示す斜視図である。
【図５】円筒状の筐体の周面にスポンジフィルタを配した空気清浄機の断面を示す断面図である。
【図６】断面を扁平させた筒状の空気清浄機の外観を示す斜視図である。
【図７】円筒状の筐体の一方の側面に吸気口を設けた空気清浄機の外観を示す斜視図である。
【図８】円筒状の筐体の一方の側面に吸気口を設けた空気清浄機の断面を示す断面図である。
【図９】一対のスポンジフィルタをそれぞれ回動自在にした空気清浄機の外観を示す斜視図である。
【図１０】一対のスポンジフィルタをそれぞれ回動自在にした空気清浄機の断面を示す断面図である。
【発明を実施するための形態】
【００１６】
本発明を実施した空気清浄機の外観を図１に、またその内部の構成を図２に示す。空気清浄機２は、外装に柔軟性を持たせてあり、クッション（座布団）などとして利用しながら使用できるようにしてある。空気清浄機２は、機械ユニット３と、一対のフィルタユニット４とからなる。
【００１７】
機械ユニット３は、フィルタユニット４による空気清浄を行うために必要な圧力差を発生させるための機構などをユニット化したものである。この機械ユニット３は、筐体５，この筐体５に形成した吸気口６，排気口７や、ファン８などで構成してある。筐体５は、剛性を有する材料を用いて、厚みの薄い円筒形状、すなわち内部が中空な円盤状に形成してある。筐体５の剛性としては、例えば空気清浄機２にユーザが乗ってしまったときにでも筐体５が破損せず、また変形しても内部のファン８などに接触して外力が加わらない程度に高いものとしてある。
【００１８】
吸気口６は、外部の空気を筐体５の内部に吸い込むためのものであり、筐体５の周面５ａに多数設けてあり、周面５ａを貫通している。この吸気口６は、紙切れや糸くずなどを吸い込まないようにその開口サイズを調整してある。
【００１９】
排気口７は、筐体５の内部に吸い込んだ空気をその外部に排出して、フィルタユニット４に送り込む開口である。排気口７は、筐体５の各天板（上面，下面）５ｂのほぼ中央の適当な範囲に複数設けてある。排気口７は、スポンジフィルタ１０が筐体５の内部に入り込まないように、その開口サイズと相互の間隔を調整してある。なお、排気口７を大きなサイズの開口とし、その開口に網などを配してスポンジフィルタ１０が筐体５の内部に入り込まないようにしてもよい。
【００２０】
筐体５の内部で各排気口７の近傍には、ファン８をそれぞれ配してある。ファン８は、羽根８ａとモータ８ｂとからなり、モータ８ｂは駆動回路（図示省略）によって駆動される。モータ８ｂによって羽根８ａを回転することにより、筐体５の内部の空間のうちのファン８よりも吸気口６側の圧力を低くし、排気口７側の圧力を高くする。これにより、外部からの空気を吸気口６から吸い込み、その空気を筐体５の中空な内部を通して排気口７から筐体５の外部に送り出す。なお、この例では、筐体５の中空な内部自体が吸気口６と排気口７をつなぐ流路となる。
【００２１】
周面５ａには、電源スイッチ１２を設けてあり、これを操作することにより、ファン８の駆動、すなわち空気清浄機２のオン・オフを行うことができる。空気清浄機２には、電源ケーブル（図示省略）を設けてあり、この電源ケーブルを家庭用電源に接続することで、ファン８を駆動するための電力が供給される。
【００２２】
フィルタユニット４は、空気中のホコリや花粉などの微細な粒子（以下、ホコリ等という）を除去する。このフィルタユニット４は、スポンジフィルタ１０，シート積層部１５、カバー部材１６を有し、この順番で筐体５側から配してある。なお、フィルタユニット４に、脱臭効果等の各種の空気洗浄機能を持たせてもよい。
【００２３】
スポンジフィルタ１０は、排気口７からの空気に含まれるホコリ等を捕捉するものである。また、スポンジフィルタ１０は、ファン８の動作音を低減する機能をも有する。このスポンジフィルタ１０は、底面が天板５ｂとほぼ同じ大きさの円形の平面であり、上部がカバー部材１６に向かって椀状になだらかに盛り上がる形状としてあり、排気口７を設けた天板５ｂの外面を覆うように、その底面を天板５ｂに密着させて配される。
【００２４】
上記スポンジフィルタ１０は、カバー部材１６と筐体５との間に挟み込んで固定する。後述するようにカバー部材１６を外して、スポンジフィルタ１０を筐体５から分離することにより、スポンジフィルタ１０の掃除や、排気口７の掃除ができるようにしてある。なお、面ファスナー等を用いて分離を容易にしながら筐体５にスポンジフィルタ１０を固定するようにしてもよい。
【００２５】
上記スポンジフィルタ１０は、弱い力で弾性変形する柔軟なものとしてある。このようなスポンジフィルタ１０の素材としては、ウレタンフィルタ（モルトフィルタ）を挙げることができるが、これに限定されるものではない。
【００２６】
シート積層部１５は、複数枚のカバーシート１８を積層したものである。各カバーシート１８は、柔軟性を有し空気を透過する素材で作成してあり、複数枚が積層されたシート積層部１５が空気を透過するようにしてある。また、各カバーシート１８は、それぞれスポンジフィルタ１０のカバー部材１６側の表面全部を覆う形状としてある。
【００２７】
カバー部材１６とスポンジフィルタ１０との間にシート積層部１５を挟み込むことによって、その最下層のカバーシート１８がスポンジフィルタ１０の表面を覆う。最上層のカバーシート１８は、カバー部材１６に形成した複数の開口２１から外部に露呈される。
【００２８】
カバー部材１６のほぼ中央には、引き抜き用開口２２を設けてあり、この引き抜き用開口２２から最上層のカバーシート１８を摘んで引き抜くことができる。これにより、外部に露呈されることで汚れた最上層のカバーシート１８を引き抜き、新しいカバーシート１８を開口２１に露呈させることができる。また、カバーシート１８は、利用者等がホコリ等を捕捉したスポンジフィルタ１０に直接に接触しないようにする機能する。
【００２９】
なお、各種の色のカバーシート１８を積層してシート積層部１５とし、交換ごとに開口２１から露呈されるカバーシート１８の色が変わるようにして、利用者が楽しむことができるようにしてもよい。また、最下層から数枚のカバーシート１８や最下層となるカバーシート１８に特定の色やマークなどを付して、カバーシート１８の残量が少なくなったこと、カバーシート１８が最後の１枚であることを知らせるようにしてもよい。さらには、カバーシート１８に、フィルタとして機能を持たせてもよい。
【００３０】
また、スポンジフィルタ１０とカバー部材１６との間に１枚のカバーシート１８だけを配する構成でもよいが、上記のように複数枚のカバーシート１８を積層しておくと容易な作業で交換することができて好ましい。もちろん、カバーシート１８を省略することもできる。
【００３１】
カバー部材１６は、中央部がわずかに窪んだ椀状形状にしてあり、シート積層部１５を透過した空気を外部に放出するための複数の開口２１を形成してある。このカバー部材１６には、その縁に断面が略「Ｊ」字状の係合部１６ａを形成してある。筐体５の天板５ｂの周縁には、外側に突出したリブ２３を設けてある。
【００３２】
図２に示されるように、全周にわたって係合部１６ａをリブ２３に係合させることでカバー部材１６を筐体５に取り付けることができ、それら係合を外すことによって、カバー部材１６を筐体５から取り外すことができる。これにより、カバー部材１６の脱着を容易に行えるようにし、スポンジフィルタ１０、シート積層部１５の取り出し等の作業を容易にしている。
【００３３】
カバー部材１６は、上記のように筐体５に取り付けられることにより、スポンジフィルタ１０、シート積層部１５を保持するとともに、スポンジフィルタ１０、カバーシート１８を保護する。また、カバー部材１６は、例えばシリコーン樹脂やゴム等を用いて作製してあり、クッションなど同様に弱い力で弾性変形する柔軟性を持たせてある。これにより、利用者がぶつかるなど押圧力がかかった場合には、フィルタユニット４が容易に弾性変形してへこむようにしてある。
【００３４】
カバー部材１６の中央には、前述の引き抜き用開口２２を設けてある。キャップ２４は、引き抜き用開口２２を塞ぐためのものであり、カバー部材１６に着脱自在となっている。このキャップ２４は、その一方の面に形成したパイプ部２４ａを引き抜き用開口２２に嵌め込むことによって、カバー部材１６に取り付けられて引き抜き用開口２２を塞ぐ。また、図２に二点鎖線で示すように、引き抜き用開口２２からパイプ部２４ａを引き抜くことでキャップ２４を外して引き抜き用開口２２を露呈することができる。
【００３５】
上記のように構成される各フィルタユニット４は、全体としてクッションのように柔らかく、また弾性を有するものとなっており、これらで硬い機械ユニット３の大半を覆うようにしている。これにより、空気清浄機２をクッションのように利用者の近くに、あるいは利用者が直接に触れて利用することができるようにしている。
【００３６】
図３に示すように、筐体５の周面５ａには、筐体５の内部を掃除するための掃除用開口２５を形成してある。また、この掃除用開口２５を閉じた閉じ位置と、図３に示すように開いた開き位置との間で、周面５ａに沿ってスライド移動自在なスライド扉２６を設けてある。ユーザは、このスライド扉２６を開き位置として掃除用開口２５を開放することによって、筐体５の内部に溜まったホコリ等を掃除用開口２５から外部に排出することができる。
【００３７】
以下に上記構成の作用について説明する。電源スイッチ１２を操作して空気清浄機２をオンとすると、各ファン８が駆動される。これにより、吸気口６から空気清浄機２の外部の空気が筐体５の内部に吸い込まれる。筐体５の内に吸い込まれた空気は、排気口７からスポンジフィルタ１０に送り出され、ホコリ等がスポンジフィルタ１０に捕捉される。そして、スポンジフィルタ１０を透過した空気が、さらにシート積層部１５の各カバーシート１８を透過してカバー部材１６の各開口２１から排出される。
【００３８】
上記のようにして、ホコリ等が捕捉された清浄化された空気が空気清浄機２から外部に排出されるが、空気清浄機２は、外部に露呈したフィルタユニット４に柔軟性があるので、例えば幼児がこれにぶつかったりしたとしてもケガをする心配がなく、また空気清浄機２が転倒して破損するといったことがない。したがって、利用者の近傍の床やソファなど置いて利用することもできる。さらに、空気清浄機２をマクラやクッションなどとして、利用者が直接に触れる態様で使用することもできる。
【００３９】
上記のように利用する場合に、床の汚れや利用者の皮脂などで、露呈しているカバーシート１８が汚れたときには、キャップ２４を取り外して引き抜き用開口２２から最上層のカバーシート１８の一部を摘んで引き抜く。これにより、その下層のカバーシート１８が最上層となって露呈される。このようにして、カバーシート１８を汚れていないものに容易に交換することができ、利用者が直接に触れる態様でも支障なく利用を継続できる。
【００４０】
カバーシート１８がなくなったときには、係合部１６ａとリブ２３の係合を解除して、カバー部材１６を筐体５から取り外す。そして、予めカバーシート１８を積層したシート積層部１５をスポンジフィルタ１０の上部に乗せてから、カバー部材１６を被せて係合部１６ａをリブ２３に係合させる。このように、カバーシート１８の補充は、簡単にすることができる。また、同様にしてカバー部材１６の着脱を行って、スポンジフィルタ１０の分離・クリーニングを行うことができる。
【００４１】
さらには、スポンジフィルタ１０を取り出してクリーニングするまでではないが、空気清浄機２から排出される空気量が小さくなった場合などでは、例えばテーブルの上に空気清浄機２を置いて、筐体５の内部に空気を押し込むようにして上側となっているフィルタユニット４を押す。これにより、排気口７の周囲や、この排気口７に露呈したスポンジフィルタ１０の表面に溜まったホコリ等を落す簡易な掃除を行うことができる。この簡易な掃除を行ったときのホコリ等は、掃除用開口２５から外部に排出することができる。
【００４２】
次に本発明を実施した空気清浄機の他の例を説明する。なお、以下の説明では、スポンジフィルタのみでフィルタユニットを構成した例を説明するが、上記実施形態と同様に、カバーシートあるいはシート積層部、カバー部材を含むように構成することができる。
【００４３】
図４，図５は、機械ユニットの筐体を筒状とし、その周面を覆うようにフィルタユニットを設けた例を示すものである。空気清浄機３０は、機械ユニット３１とフィルタユニット３２とからなる。機械ユニット３１の筐体３３は、円筒状のパイプ部３４と、このパイプ部３４の両端にそれぞれ設けた円盤形状の側板３５とからなり、それぞれ剛性を有する。パイプ部３４と各側板３５とは同軸にしてある。また、各側板３５は、パイプ部３４よりも径を大きくしてある。
【００４４】
側板３５には、その中央部に複数の吸気口３６を設けてあり、これら吸気口３６から中空なパイプ部３４の内部に空気が流入するようにしてある。また、パイプ部３４の周面３４ａには、複数の排気口３７を設けてあり、パイプ部３４の内部が空気の流路となっている。パイプ部３４の内部には、各側板３５の近傍にファン３８をそれぞれ設けてある。このファンによって、吸気口３６から空気をパイプ部の内部に吸い込み、吸い込んだ空気を排気口３７から排出する。
【００４５】
フィルタユニット３２は、スポンジフィルタ４１からなる。このスポンジフィルタ４１は、内径が周面３４ａの外径とほぼ同じにした中空部４１ａを有する筒状であり、外径が中央から端に向かって漸増する形状としてある。スポンジフィルタ４１は、中空部４１ａにパイプ部３４が収容されるようにして筐体３３に装着される。これにより、スポンジフィルタ４１は、排気口３７を設けた周面３４ａに密着し、この周面３４ａを覆い、排気口３７からの空気を、それに含まれるホコリ等を捕捉してから排出する。
【００４６】
上記の例に示す空気清浄機の形状は一例であって、空気清浄機は各種形状とすることができる。例えば図６に示すように、断面を円形から扁平させたような形状であってもよい。また、図７に示すように、円筒状の筐体３３の一方の側面に吸気口３６を設けてもよい。この場合には、図８に示すように、ファン３８は、筐体３３の内部で吸気口３６側にのみ設ければよい。また、この例では筐体３３の吸気口３６を設けていない側には、取っ手４３を一体に設け、これをスポンジフィルタ４１から突出し、さらに取っ手４３の先端から電源コード４４が伸びるようにしている。なお、取っ手４３を設けずに、吸気口３６のない側面側をスポンジフィルタで覆ってもよい。この場合には、その側面に排気口３７を設けてもよい。なお、図６ないし図８では、上記の例と実質的に同じ構成部材には、同じ符号を付してある。
【００４７】
図９、及び図１０には筐体を挟んで一対のフィルタユニットを所定の間隔をあけて設け、各フィルタユニットを回動自在にするようにしたものである。空気清浄機５０は、機械ユニット５１と一対のフィルタユニット５２とから構成される。機械ユニット５１は、右側円盤部５３と、左側円盤部５４と、これら各円盤部５３，５４を回動自在に連結する連結部５５とから構成され、各円盤部５３，５４がそれぞれ筐体となっている。連結部５５は、円柱形状にしてあり、その内部には電源コ−ド５６に接続されたファンの駆動回路などを設けてある。
【００４８】
右側円盤部５３は、内部を中空にしてある。この右側円盤部５３の左側面５３ａには、多数の吸気口５８を形成してあり、また中央部には円形の連結用開口５９を形成してある。連結用開口５９の内周面にその周面に沿って形成された突起５９ａと、連結部５５の右側の端部の周面に沿って形成したガイド溝５５ａを係合させることにより、右側円盤部５３が連結部５５に回動自在に組み付けられる。
【００４９】
ファン６１は、連結部５５の端部に設けた支持軸５５ｂの先端に取り付けてあり、右側円盤部５３を連結部５５に組み付けたときに、連結用開口５９から右側円盤部５３の内部に挿入され、右側円盤部５３の右側面５３ｂに近接した位置に配される。なお、ファン６１を連結部５５に固定することにより、右側円盤部５３が回転したときに、連結部５５からファン６１に接続されるコードがねじれないようにしている。
【００５０】
ファン６１が対面する右側面５３ｂには、複数の排気口６２を設けてある。これにより、ファン６１を作動させたときには、中空な右側円盤部の内部を空気の流路として、吸気口５８から空気を吸い込んで、その空気が排気口６２から排出される。
【００５１】
上記右側円盤部５３の外側には、フィルタユニット５２を構成するスポンジフィルタ６４を装着する。スポンジフィルタ６４は、外観が略半球状であり、端面側に右側円盤部５３の外形に合わせた凹部を形成してあり、その内部に右側円盤部５３を装着する。これにより、吸気口５８が露呈しつつ、排気口６２が形成された右側面５３ｂがスポンジフィルタ６４で覆う。また、スポンジフィルタ６４は、右側円盤部５３と一体に連結部５５に対して回動自在とされる。
【００５２】
左側円盤部５４は、右側円盤部は、左右対照な構成であるので、同じの部材には同一の符号を付して説明を省略する。また、この例では円盤部５３，５４と連結部５５とにより、フィルタユニット５２を回動自在に保持する保持機構が構成される。
【００５３】
この例によれば、各円盤部５３，５４に装着されたスポンジフィルタ６４は、それぞれ装着された円盤部とともに連結部５５に対して回動自在となっているから、例えば空気清浄機５０を、利用者が水平方向に引っ張ったり押したりしたときには、スポンジフィルタ６４が回転するので、円滑に移動させることができる。また、移動の際にスポンジフィルタ６４が床などと擦れることがなく、にスポンジフィルタ６４が削れてしまうことを防止できる。
【００５４】
この例では、スポンジフィルタ６４を、その回転中心を回転軸とする回転体形状として略半球状としたが、円筒形状などであってもよい。また、回転中心を対照軸とする回転対称な立体形状などであってもよい。
【００５５】
上記各実施形態では、筐体内部に吸い込んだ空気をフィルタユニットに送り込んで排出する構成であるが、フィルタユニットを通して空気を筐体内部に吸い込み、その空気を筐体から排出する構成でもよい。なお、この場合には、上記各実施形態においては、ファンによる送風の向きを逆とすればよい。
【００５６】
また、上記各実施形態では、家庭用電源によって空気清浄機を作動させる例について説明したが、電源はこれに限るものではなく、例えば電池であってもよい。また、電池を用いる場合には、充電式の電池を用いることが好ましく、その充電式電池を空気清浄機から取り外すことなく充電できるようにすることがより好ましい。
【符号の説明】
【００５７】
２，３０，５０  空気清浄機
３，３１，５１  機械ユニット
４，３２，５２  フィルタユニット
５，３３  筐体
６，３６，５８  吸気口
７，３７，６２  排気口
８，３８，６１  ファン
１０，４１  スポンジフィルタ
１５  シート積層部
１６  カバー部材
１８  カバーシート
５３，５４  円盤部
５５  連結部
６４  スポンジフィルタ
【図１】
2010227792.tif 000003
【図２】
2010227792.tif 000004
【図３】
2010227792.tif 000005
【図４】
2010227792.tif 000006
【図５】
2010227792.tif 000007
【図６】
2010227792.tif 000008
【図７】
2010227792.tif 000009
【図８】
2010227792.tif 000010
【図９】
2010227792.tif 000011
【図１０】
2010227792.tif 000012